(57)【要約】【課題】携帯用情報機器で生じる熱を分散させることができるカバー部材、及び該カバー部材と携帯用情報機器を備えるカバー付き携帯用情報機器を提供する。【解決手段】カバー部材１０は、携帯用情報機器１２に装着するものである。カバー部材１０は、第１カバー部２４と、第２カバー部２５と、第１カバー部２４と第２カバー部２５との間を折り畳み可能に接続する連接部２６と、連接部２６を通して第１カバー部２４から第２カバー部２５まで亘るように設けられた熱伝導シート３２と、を備える。【選択図】図４Ａ
2020173653.tif 000002
【特許請求の範囲】
【請求項１】
携帯用情報機器に装着するカバー部材であって、
第１カバー部と、
第２カバー部と、
前記第１カバー部と前記第２カバー部との間を折り畳み可能に接続する連接部と、
前記連接部を通して前記第１カバー部から前記第２カバー部まで亘るように設けられた熱伝導シートと、
を備えることを特徴とするカバー部材。
【請求項２】
請求項１に記載のカバー部材であって、
前記第１カバー部から前記連接部を介して前記第２カバー部まで延在し、前記携帯用情報機器に対する装着面を形成する内カバー材と、
前記第１カバー部から前記連接部を介して前記第２カバー部まで延在し、当該カバー部材の外表面を形成する外カバー材と、
を備え、
前記熱伝導シートは、前記内カバー材と前記外カバー材との間に挟まれていることを特徴とするカバー部材。
【請求項３】
請求項２に記載のカバー部材であって、
前記熱伝導シートは、一対の保護層と、
前記一対の保護層の間に設けられたグラファイトシートと、を有することを特徴とするカバー部材。
【請求項４】
請求項３に記載のカバー部材であって、
前記保護層は、前記第１カバー部に設けられた第１保護材と、
前記第２カバー部に設けられた第２保護材と、
前記連接部に設けられ、前記第１保護材と前記第２保護材との間を接続する中間保護材と、を有し、
前記中間保護材は、前記第１保護材及び前記第２保護材よりも柔軟な材質で構成されていることを特徴とするカバー部材。
【請求項５】
請求項４に記載のカバー部材であって、
前記中間保護材は、ポリイミドで構成されていることを特徴とするカバー部材。
【請求項６】
請求項２〜５のいずれか１項に記載のカバー部材であって、
前記内カバー材は、前記熱伝導シートが露出する開口部を有することを特徴とするカバー部材。
【請求項７】
請求項６に記載のカバー部材であって、
前記携帯用情報機器に前記カバー部材が装着された状態で、前記開口部は前記携帯用情報機器の少なくとも一つの発熱体が位置する部分を覆うように形成されることを特徴とするカバー部材。
【請求項８】
請求項１〜７のいずれか１項に記載のカバー部材を前記携帯用情報機器に装着したカバー付き携帯用情報機器であって、
前記携帯用情報機器は、第１筐体と、
前記第１筐体と隣接し、前記第１筐体よりも発熱量が小さい第２筐体と、
前記第１筐体と前記第２筐体との間を折り畳み可能に連結するヒンジと、を備え、
前記カバー部材は、前記第１カバー部の内面が前記第１筐体の背面に装着され、
前記第２カバー部の内面が前記第２筐体の背面に装着されていることを特徴とするカバー付き携帯用情報機器。
【請求項９】
請求項１〜７のいずれか１項に記載のカバー部材を前記携帯用情報機器に装着したカバー付き携帯用情報機器であって、
前記携帯用情報機器は、筐体と、
前記筐体の正面に設けられたディスプレイと、を有し、
前記カバー部材は、前記第１カバー部の内面が前記筐体の背面に装着され、
前記第２カバー部が前記筐体の側部に張り出すように設けられると共に、前記ディスプレイを開閉可能に設けられることを特徴とするカバー付き携帯用情報機器。
【発明の詳細な説明】
【技術分野】
【０００１】
本発明は、携帯用情報機器に装着するカバー部材、及び該カバー部材と携帯用情報機器を備えるカバー付き携帯用情報機器に関する。
【背景技術】
【０００２】
近年、ノート型ＰＣ、タブレット型ＰＣ、スマートフォン等の携帯用情報機器が急速に普及している。携帯用情報機器は、持ち運び時の傷つきや破損を避ける必要がある。そこで、携帯用情報機器の保護用或いは装飾用として、各種のカバー部材が提供されている。本出願人は特許文献１において、折り畳み型のタブレット型ＰＣに対応したカバー部材を提案している。
【先行技術文献】
【特許文献】
【０００３】
【特許文献１】特開２０１８−１０５９６１号公報
【発明の概要】
【発明が解決しようとする課題】
【０００４】
ところで、上記特許文献１の携帯用情報機器は、折り畳み可能に連結された一対の筐体のうち、一方の筐体にＣＰＵ等の発熱量の大きな電子部品が搭載されている。このため、この携帯用情報機器は、左右の筐体間で発熱量が異なる。このため、上記特許文献１の構成の場合、カバー部材の外表面は、発熱量の大きな一方の筐体をカバーする部分が高温となり、他方の筐体をカバーする部分との温度差が大きい。つまり、高温側の筐体で発生した熱が、この部分を覆うカバー部材を介して局所的に人手に伝わるため、使用時にユーザが不快感を覚える懸念がある。そして、このような問題は、折り畳み構造でない通常のタブレット型ＰＣやスマートフォンに装着されるカバー部材でも同様に生じ得る。
【０００５】
本発明は、上記従来技術の課題を考慮してなされたものであり、携帯用情報機器で生じる熱を分散させることができるカバー部材、及び該カバー部材と携帯用情報機器を備えるカバー付き携帯用情報機器を提供することを目的とする。
【課題を解決するための手段】
【０００６】
本発明の第１態様に係るカバー部材は、携帯用情報機器に装着するカバー部材であって、第１カバー部と、第２カバー部と、前記第１カバー部と前記第２カバー部との間を折り畳み可能に接続する連接部と、前記連接部を通して前記第１カバー部から前記第２カバー部まで亘るように設けられた熱伝導シートと、を備える。
【０００７】
このような構成によれば、当該カバー部材は、例えば第１カバー部で携帯用情報機器の熱を吸熱し、これを第２カバー部までを含めた広い面積で拡散することができる。これにより当該カバー部材は、携帯用情報機器で生じる熱を効率よく分散させることができる。このため、当該カバー部材は、第１カバー部及び第２カバー部の外表面を略均等な温度とすることができ、ユーザに不快感を与えることを抑制できる。
【０００８】
前記第１カバー部から前記連接部を介して前記第２カバー部まで延在し、前記携帯用情報機器に対する装着面を形成する内カバー材と、前記第１カバー部から前記連接部を介して前記第２カバー部まで延在し、当該カバー部材の外表面を形成する外カバー材と、を備え、前記熱伝導シートは、前記内カバー材と前記外カバー材との間に挟まれた構成としてもよい。そうすると、当該カバー部材は、熱伝導シートによる高い放熱性能を確保しつつも、人手に触れる内カバー材及び外カバー材を布や人工皮革等で構成することで、高い意匠性と高品質な触感とを得ることができる。
【０００９】
前記熱伝導シートは、一対の保護層と、前記一対の保護層の間に設けられたグラファイトシートと、を有する構成としてもよい。そうすると、グラファイトシートによる高い熱伝導性能を確保しつつ、グラファイトシートが粉こぼれ等を生じることを保護層で抑制できる。
【００１０】
前記保護層は、前記第１カバー部に設けられた第１保護材と、前記第２カバー部に設けられた第２保護材と、前記連接部に設けられ、前記第１保護材と前記第２保護材との間を接続する中間保護材と、を有し、前記中間保護材は、前記第１保護材及び前記第２保護材よりも柔軟な材質で構成された構成としてもよい。そうすると、連接部２６での折曲動作に柔軟な中間保護材が円滑に追従できる。このため、中間保護材が繰り返しの折曲動作で破損することを抑制できると共に、熱伝導シートが当該カバー部材の折曲動作の負荷となることを抑制できる。
【００１１】
前記中間保護材は、ポリイミドで構成されていてもよい。
【００１２】
前記内カバー材は、前記熱伝導シートが露出する開口部を有する構成としてもよい。そうすると、当該カバー部材は、携帯用情報機器からの熱を熱伝導シートで直接的に吸熱できるため、冷却性能が一層向上する。
【００１３】
前記携帯用情報機器に前記カバー部材が装着された状態で、前記開口部は前記携帯用情報機器の少なくとも一つの発熱体が位置する部分を覆うように形成されていてもよい。そうすると、発熱体からの熱が開口部を通って効率よく熱伝導シートに伝達される。
【００１４】
本発明の第２態様に係るカバー付き携帯用情報機器は、上記構成のカバー部材を前記携帯用情報機器に装着したカバー付き携帯用情報機器であって、前記携帯用情報機器は、第１筐体と、前記第１筐体と隣接し、前記第１筐体よりも発熱量が小さい第２筐体と、前記第１筐体と前記第２筐体との間を折り畳み可能に連結するヒンジと、を備え、前記カバー部材は、前記第１カバー部の内面が前記第１筐体の背面に装着され、前記第２カバー部の内面が前記第２筐体の背面に装着されている。
【００１５】
本発明の第３態様に係るカバー付き携帯用情報機器は、上記構成のカバー部材を前記携帯用情報機器に装着したカバー付き携帯用情報機器であって、前記携帯用情報機器は、筐体と、前記筐体の正面に設けられたディスプレイと、を有し、前記カバー部材は、前記第１カバー部の内面が前記筐体の背面に装着され、前記第２カバー部が前記筐体の側部に張り出すように設けられると共に、前記ディスプレイを開閉可能に設けられる。
【００１６】
このような構成によれば、当該カバー付き携帯用情報機器は、カバー部材によってその意匠性や触感が向上する。しかも当該カバー付き携帯用情報機器は、カバー部材による熱拡散作用により、筐体内部が高温となってパフォーマンスの低下等を生じることが抑制される。
【発明の効果】
【００１７】
本発明の上記態様によれば、携帯用情報機器で生じる熱を分散させることができるカバー部材、及び該カバー部材と携帯用情報機器を備えるカバー付き携帯用情報機器を提供する。
【図面の簡単な説明】
【００１８】
【図１】図１は、一実施形態に係るカバー部材を携帯用情報機器に装着したカバー付き携帯用情報機器を使用形態とした状態での斜視図である。
【図２】図２は、図１に示すカバー付き携帯用情報機器を収納形態とした状態での側面図である。
【図３】図３は、図１に示すカバー付き携帯用情報機器の内部構造を模式的に示す平面図である。
【図４Ａ】図４Ａは、使用形態でのカバー部材の模式的な断面図である。
【図４Ｂ】図４Ｂは、図４Ａに示すカバー部材を収納形態とした状態での模式的な断面図である。
【図５】図５は、変形例に係るカバー部材の模式的な断面図である。
【図６Ａ】図６Ａは、カバー部材を変形例に係る携帯用情報機器に装着したカバー付き携帯用情報機器を使用形態とした状態での側面図である。
【図６Ｂ】図６Ｂは、図６Ａに示すカバー付き携帯用情報機器を収納形態とした状態での側面図である。
【発明を実施するための形態】
【００１９】
以下、本発明に係るカバー部材及びカバー付き携帯用情報機器について好適な実施の形態を挙げ、添付の図面を参照しながら詳細に説明する。
【００２０】
図１は、一実施形態に係るカバー部材１０を携帯用情報機器１２に装着したカバー付き携帯用情報機器を使用形態とした状態での斜視図である。図２は、図１に示すカバー付き携帯用情報機器を収納形態とした状態での側面図である。図３は、図１に示すカバー付き携帯用情報機器の内部構造を模式的に示す平面図である。
【００２１】
図１及び図２に示すように、カバー部材１０は、携帯用情報機器１２の外面を覆うことでこれを保護する保護機能と、携帯用情報機器１２の外面を装飾して外観意匠を高める装飾機能とを有する。カバー部材１０の装着対象となる携帯用情報機器１２として、本実施形態では折り畳み可能なタブレット型ＰＣを例示する。携帯用情報機器１２は、一枚板状のタブレット型ＰＣやスマートフォン等でもよい。
【００２２】
携帯用情報機器１２は、一対の筐体１４，１５と、ディスプレイ１６とを備える。図３ではディスプレイ１６を省略している。
【００２３】
筐体１４，１５は、互いの一縁部同士が突き合わされた状態で隣接配置され、ヒンジ１８を介して折り畳み可能に連結されている。一方の筐体１４には、ＣＰＵ（Central  Processing  Unit）２０ａを実装した基板２０や電源回路２１等の電子部品が収容されている。他方の筐体１５には、バッテリ装置２２やその他の電子部品が収容されている。ＣＰＵ２０ａは、携帯用情報機器１２に搭載された電子部品のうちで最大の発熱体である。電源回路２１は、ＣＰＵ２０ａに次ぐ発熱体である。バッテリ装置２２は、ＣＰＵ２０ａや電源回路２１よりも発熱量が小さい。このため携帯用情報機器１２は、左右の筐体１４，１５で発熱量が異なり、一方の筐体１４が他方の筐体１５よりも高温になる。
【００２４】
ディスプレイ１６は、例えばタッチパネル式の液晶ディスプレイである。ディスプレイ１６は、筐体１４，１５を折り畳んだ際に一緒に折り畳み可能な構造であり、筐体１４，１５の開閉動作に伴って開閉する。ディスプレイ１６は、例えば柔軟性の高いペーパー構造を持った有機ＥＬ（Electro  Luminescence）等のフレキシブルディスプレイである。
【００２５】
以下、カバー部材１０及び携帯用情報機器１２について、筐体１４，１５の並び方向をＸ方向、ヒンジ１８で連結された筐体１４，１５の隣接縁部に沿う方向をＹ方向と呼んで説明する。
【００２６】
図１〜図３に示すように、カバー部材１０は、携帯用情報機器１２の開閉動作に伴って、平板状に開いた使用形態（図１参照）と、折り畳んで内側に携帯用情報機器１２を収納した収納形態（図２参照）とに姿勢変化する。カバー部材１０は、第１カバー部２４と、第２カバー部２５と、連接部２６とを備える。
【００２７】
第１カバー部２４は、一方の筐体１４の背面１４ａを覆う部分である。第１カバー部２４は、背面１４ａの略全域を覆うことができる外形を有する。第２カバー部２５は、他方の筐体１５の背面１５ａを覆う部分である。第２カバー部２５は、背面１５ａの略全域を覆うことができる外形を有する。
【００２８】
連接部２６は、第１カバー部２４と第２カバー部２５との間を折り畳み可能に接続している。連接部２６は、Ｘ方向で一縁部が第１折り線２６ａを介して第１カバー部２４と折曲可能に接続され、他縁部が第２折り線２６ｂを介して第２カバー部２５と折曲可能に接続されている。折り線２６ａ，２６ｂは、Ｙ方向に延在している。これにより連接部２６は、第１カバー部２４と第２カバー部２５の間を折曲可能に接続するフレキシブルヒンジとして機能する。
【００２９】
図４Ａは、使用形態でのカバー部材１０の模式的な断面図である。図４Ｂは、図４Ａに示すカバー部材１０を収納形態とした状態での模式的な断面図である。図４Ａ及び図４Ｂに示すように、カバー部材１０は、内カバー材２８と、外カバー材３０と、熱伝導シート３２とを積層した構造である。
【００３０】
内カバー材２８は、第１カバー部２４から連接部２６を介して第２カバー部２５まで亘って設けられている。内カバー材２８は、カバー部材１０の内表面を形成する。また、内カバー材２８は、携帯用情報機器１２の背面１４ａ，１５ａに対する装着面を形成する。内カバー材２８は、例えば布、不織布、皮革、人工皮革、ゴム、シリコーンゴム等で形成される。
【００３１】
外カバー材３０は、第１カバー部２４から連接部２６を介して第２カバー部２５まで亘って設けられている。外カバー材３０は、カバー部材１０の外表面を形成する。外カバー材３０は、例えば布、不織布、皮革、人工皮革、ゴム、シリコーンゴム等で形成される。
【００３２】
熱伝導シート３２は、第１カバー部２４から連接部２６を介して第２カバー部２５まで亘って設けられている。熱伝導シート３２は、第１カバー部２４と第２カバー部２５との間に挟まれている。熱伝導シート３２は、各カバー部２４，２５に対し、接着剤や両面テープ等で接着されている。熱伝導シート３２は、一対の保護層３４，３５と、保護層３４，３５間に挟まれたグラファイトシート３６とを有する３層構造である。
【００３３】
内側の保護層３４は、第１保護材３４ａと、第２保護材３４ｂと、中間保護材３４ｃとで構成されている。
【００３４】
第１保護材３４ａは、第１カバー部２４に対応する位置に設けられている。第２保護材３４ｂは、第２カバー部２５に対応する位置に設けられている。第１保護材３４ａ及び第２保護材３４ｂは、例えばポリエチレンテレフタレート（ＰＥＴ）等の樹脂をグラファイトシート３６の表面にコーティングしたものである。
【００３５】
中間保護材３４ｃは、連接部２６に対応する位置に設けられ、第１保護材３４ａと第２保護材３４ｂとの間を接続している。中間保護材３４ｃは、第１保護材３４ａ及び第２保護材３４ｂよりも柔軟な材質、或いは伸縮性の高い材質で構成されている。中間保護材３４ｃは、例えばポリイミド（ＰＩ）をグラファイトシート３６の表面にコーティングしたものである。ポリイミドは、優れた伸び特性を有するため、繰り返しの折り曲げ動作を受ける連接部２６に好適に使用できる。
【００３６】
外側の保護層３５は、第１保護材３５ａと、第２保護材３５ｂと、中間保護材３５ｃとで構成されている。これら各保護材３５ａ〜３５ｃは、上記した保護層３４の各保護材３４ａ〜３４ｃと同一の材質でよい。つまり第１保護材３５ａ及び第２保護材３５ｂは、例えばポリエチレンテレフタレートで形成される。中間保護材３５ｃは、例えばポリイミドで形成される。第１保護材３５ａ及び第２保護材３５ｂは、省略してもよい。その場合、図３Ａ中で第１保護材３５ａ及び第２保護材３５ｂを設けた部分には、グラファイトシート３６と外カバー材３０との間を接着する接着剤或いは両面テープからなる接着層を設ければよい。
【００３７】
グラファイトシート３６は、連接部２６を介して第１カバー部２４から第２カバー部２５まで亘るように設けられている。グラファイトシート３６は、グラファイトを薄いシート状に形成したものである。グラファイトシート３６は、極めて高い熱伝導率を有する。グラファイトシート３６は、その表面が保護層３４，３５で覆われることにより、粉こぼれ等を生じることが防止されている。グラファイトシート３６は、軽量且つ高い熱伝導率を有するため、携帯用情報機器１２から受けた熱を効率よく拡散できる。
【００３８】
熱伝導シート３２は、グラファイトシート３６に代えて、銅やアルミニウム等の金属箔を用いてもよい。熱伝導シート３２は、金属箔を用いる場合、保護層３４，３５を省略してもよい。また、保護層３４，３５は、中間保護材３４ｃ，３５ｃを含む一部又は全部をシリコーンゴム等で形成してもよい。
【００３９】
以上のように、本実施形態に係るカバー部材１０は、第１カバー部２４と、第２カバー部２５と、第１カバー部２４と第２カバー部２５との間を折り畳み可能に接続する連接部２６と、連接部２６を通して第１カバー部２４から第２カバー部２５まで亘るように設けられた熱伝導シートと、を備える。
【００４０】
従って、カバー部材１０は、携帯用情報機器１２の高温側の筐体１４で発生した熱を熱伝導シート３２で吸熱し、これを連接部２６及び第２カバー部２５まで延在した熱伝導シート３２を利用して効率よく分散することができる。つまりカバー部材１０は、第１カバー部２４で筐体１４側の熱を吸熱し、これを発熱量の小さい筐体１５側の第２カバー部２５までを含めた広い面積で拡散することができる。これにより、カバー部材１０は、第１カバー部２４及び第２カバー部２５の外表面が略均等な温度となる。このため、カバー部材１０は、高温の筐体１４側に位置した第１カバー部２４が局所的に高温となり、ユーザに不快感を与えることを抑制できる。
【００４１】
このようなカバー部材１０は、図示しないねじ、磁石、フック等によって携帯用情報機器１２の背面１４ａ，１５ｂに対して一体的に固定され、又は着脱可能に装着される。ところで、本実施形態の携帯用情報機器１２は、折り畳み構造である。このため、筐体１４，１５の外表面に設けられるカバー部材１０は、ヒンジ１８による回動時に内輪差による圧縮力や引張力を受ける。そこで、カバー部材１０は、例えば高温側の筐体１４に対しては第１カバー部２４が移動不能に固定され、低温側の筐体１５に対しては第２カバー部２５がＸ方向に移動可能に支持されていることが好ましい。そうすると、カバー部材１０は、第１カバー部２４で筐体１４の熱を確実に吸熱しつつ、筐体１４，１５間の折り畳み時の内輪差にも円滑に追従可能となり、意図しない脱落や剥がれを生じることを抑制できる。
【００４２】
熱伝導シート３２は、グラファイトシート３６の表面に保護層３４，３５を設けた構成となっている。このため、グラファイトシート３６による高い熱伝導性能を確保しつつ、グラファイトシート３６が粉こぼれ等を生じることを保護層３４，３５で抑制できる。特に熱伝導シート３２は、連接部２６に対応する部分が繰り返しの折曲動作を受けるため、グラファイトシート３６が破損し易い。そこで、保護層３４，３５は、少なくとも連接部２６に対応する部分には設けておくこととよい。つまり保護層３４，３５は、少なくとも中間保護材３４ｃ，３５ｃを有する構成であればよい。
【００４３】
当該カバー部材１０は、内カバー材２８と外カバー材３０との間に熱伝導シート３２を挟み込んだ構成である。このため、当該カバー部材１０は、熱伝導シート３２による高い放熱性能を確保しつつも、人手に触れる内カバー材２８及び外カバー材３０を布や人工皮革等で構成することで、高い意匠性と高品質な触感とを得ることができる。
【００４４】
図３及び図４Ａ中に２点鎖線で示すように、内カバー材２８は、発熱体であるＣＰＵ２０ａや電源回路２１の少なくとも１つと重なる位置に、開口部３８を有してもよい。これによりＣＰＵ２０ａ等で発生した熱は、筐体１４を介して熱伝導シート３２に直接的に伝達される。その結果、内カバー材２８が発熱体から熱伝導シート３２への熱伝達を邪魔することがなく、その冷却効率が一層向上する。なお、携帯用情報機器１２が、例えば筐体１４内にヒートパイプ等を設けてＣＰＵ２０ａの熱を輸送する構成である場合、開口部３８はヒートパイプの端部に対応して設けられるとよい。
【００４５】
図５は、変形例に係るカバー部材１０Ａの模式的な断面図である。図５に示すカバー部材１０Ａは、図４Ａに示す保護層３４，３５とは構成の異なる保護層４０，４１をグラファイトシート３６の表面に設けた熱伝導シート３２を備える。保護層４０，４１は、保護層３４，３５の中間保護材３４ｃ，３５ｃと同様な構造であり、ポリイミドで形成されている。このため、熱伝導シート３２の製造効率が向上する。但し、ポリイミドは、ポリエチレンテレフタレート等の樹脂材料よりも高価である。そこで、図４Ａに示す保護層３４，３５は、中間保護材３４ｃ，３５ｃのみにポリイミドを用いることで、製品コストを低減している。なお、連接部２６での折曲動作の繰り返し回数の要求が低い仕様等では、ポリイミドに代えて保護層４０，４１の全部をポリエチレンテレフタレートで形成してもよい。
【００４６】
図６Ａは、カバー部材１０を変形例に係る携帯用情報機器１２Ａに装着したカバー付き携帯用情報機器を使用形態とした状態での側面図である。図６Ｂは、図６Ａに示すカバー付き携帯用情報機器を収納形態とした状態での側面図である。
【００４７】
図６Ａ及び図６Ｂに示すように、携帯用情報機器１２Ａは、折り畳み構造ではない一般的なタブレット型ＰＣ或いはスマートフォンである。カバー部材１０は、第１カバー部２４が携帯用情報機器１２Ａの筐体４４の背面４４ａを覆うように装着される。第２カバー部２５及び連接部２６は、図６Ａに示す使用形態で筐体４４の側方に張り出した状態となる。カバー部材１０は、連接部２６を介して第２カバー部２５を折り畳んでディスプレイ１６を覆うことで、図６Ｂに示す収納形態となる。
【００４８】
従って、当該カバー部材１０は、このような携帯用情報機器１２Ａに装着された場合にも、第１カバー部２４で発熱体の熱を吸熱し、これを第２カバー部２５も利用して拡散することができるため、高い冷却性能が得られる。
【００４９】
なお、本発明は、上記した実施形態に限定されるものではなく、本発明の主旨を逸脱しない範囲で自由に変更できることは勿論である。
【００５０】
上記では、熱伝導シート３２を第１カバー部２４、連接部２６及び第２カバー部２５の略全域に亘って敷設した構成を例示した。しかしながら、熱伝導シート３２は、第１カバー部２４で発熱体の熱を吸熱し、この熱を第１カバー部２４及び第２カバー部２５を用いて拡散できる構成であればよい。従って、熱伝導シート３２は、カバー部材１０の全域に設けられていなくてもよく、第１カバー部２４、連接部２６及び第２カバー部２５のそれぞれの少なくとも一部に設けられていてもよい。但し、第１カバー部２４では、熱伝導シート３２が発熱体の直下となる位置にあることが望ましい。
【００５１】
上記では、携帯用情報機器１２，１２Ａとして、タブレット型ＰＣやスマートフォンを例示したが、携帯用情報機器はノート型ＰＣ等でもよい。カバー部材１０は、ノート型ＰＣに装着する場合、第１カバー部２４をキーボード装置やＣＰＵを設けた本体筐体の背面に装着し、第２カバー部２５をディスプレイを設けたディスプレイ筐体の背面に装着するとよい。
【００５２】
上記では、熱伝導シート３２は、第１カバー部２４から連接部２６を経て第２カバー部２５まで一枚のシートで形成した構成を例示したが、熱伝導シート３２は複数枚のシートを互いに熱伝達可能に接続した構成としてもよい。
【符号の説明】
【００５３】
１０，１０Ａ  カバー部材
１２，１２Ａ  携帯用情報機器
１４，１５，４４  筐体
１４ａ，１５ａ，４４ａ  背面
１６  ディスプレイ
２０ａ  ＣＰＵ
２１  電源回路
２４  第１カバー部
２５  第２カバー部
２６  連接部
２８  内カバー材
３０  外カバー材
３２  熱伝導シート
３４，３５，４０，４１  保護層
３４ａ，３５ａ  第１保護材
３４ｂ，３５ｂ  第２保護材
３４ｃ，３５ｃ  中間保護材
３６  グラファイトシート
３８  開口部
【図１】
2020173653.tif 000003
【図２】
2020173653.tif 000004
【図３】
2020173653.tif 000005
【図４Ａ】
2020173653.tif 000006
【図４Ｂ】
2020173653.tif 000007
【図５】
2020173653.tif 000008
【図６Ａ】
2020173653.tif 000009
【図６Ｂ】
2020173653.tif 000010